(57)【要約】【課題】軽量な構造で、フロントウインドウの上下振動に伴うフロントヘッダの上下振動を抑制し、乗心地性能（振動減衰性能）の向上を図ること。【解決手段】車体のルーフ部１０の左右両端部に車両前後方向に延びる左右一対のルーフレール３，３と、これらルーフレール３，３間に配設されたルーフパネル１３と、ルーフパネル１３の前部に車幅方向に配設されたフロントヘッダ１１と、上部がルーフレール３に結合されると共に、下方へ延びるフロントピラー１と、フロントヘッダ１１とフロントピラー１との間に配設されたフロントウインドウ２２と、を備え、前部がフロントヘッダ１１に結合され、後方に延びる前側傾斜ルーフレイン１８が配設され、フロントヘッダ１１内の車幅方向において前側傾斜ルーフレイン１８に重ならない位置に節部材５１，５２が配設された。【選択図】図４
2016150701.tif 000002
【特許請求の範囲】
【請求項１】
車体のルーフ部の左右両端部に車両前後方向に延びるように設けられた左右一対のルーフレールと、
前記左右一対の両ルーフレール間に配設されたルーフパネルと、
前記ルーフパネルの前部に車幅方向に配設されたフロントヘッダと、
上部が前記ルーフレールに結合されると共に、下方へ延びるフロントピラーと、
前記フロントヘッダと前記フロントピラーとの間に配設されたフロントウインドウと、を備えた車両の上部車体構造であって、
前部が前記フロントヘッダに結合され、後方に延びる前後方向ルーフレインが配設され、
前記フロントヘッダ内の車幅方向において前記前後方向ルーフレインに重ならない位置に節部材が配設された
車両の上部車体構造。
【請求項２】
前記前後方向ルーフレインが車幅方向に並ぶよう一対設けられ、一方の前記前後方向ルーフレインの前部が、前記フロントヘッダの中央部と車幅方向の一方の外側端部との間に結合されるとともに、他方の前記前後方向ルーフレインの前部が、前記フロントヘッダの中央部と車幅方向の他方の外側端部との間に結合され、夫々、後方側程車幅方向外方に傾斜して後部が前記センタピラー近傍に位置するよう配設され、前記節部材が、前記フロントヘッダの中央部、及び前記前後方向ルーフレインと前記フロントヘッダとの結合部よりも車幅方向外側に配設された
請求項１に記載の車両の上部車体構造。
【発明の詳細な説明】
【技術分野】
【０００１】
この発明は、車体のルーフ部の左右両端部に車両前後方向に延びるように設けられた左右一対のルーフレールと、左右一対の両ルーフレール間に配設されたルーフパネルと、ルーフパネルの前部に車幅方向に配設されたフロントヘッダと、上部がルーフレールに結合されると共に、下方へ延びるフロントピラーと、フロントヘッダとフロントピラーとの間に配設されたフロントウインドウと、を備えた車両の上部車体構造に関する。
【背景技術】
【０００２】
車両の上部車体構造としては、特許文献１，２に開示の上部車体構造に例示されるように、車体のルーフ部を形成するルーフパネルと、該ルーフパネルの下部において車幅方向に延びるように配設されたルーフレインフォースメントとを備えたものが知られている。
【０００３】
下記特許文献１には、車両前後両端部及び車両前後方向中央部にルーフパネルの下面に接合する接合面を設けるとともに、該接合面以外の部位がルーフパネルの下面から所定長さ以上、下方に離間するように側面視略Ｗ形状に形成したルーフレインフォースメントをルーフパネルの下面に接合した車両の上部車体構造が開示され、この構成により、ルーフパネルの張り剛性の向上を図っている（特許文献１中の段落［００３８］、［００４９］）。
【０００４】
下記特許文献２に開示の車両用サンルーフ構造は、ルーフレインフォースメントとして第１クロスメンバと第２クロスメンバを、平面視Ｘ字状に配置した車両用サンルーフ構造が開示され、平面視Ｘ字状に配置した第１・第２クロスメンバにより、ルーフの剛性を高めることができるとされている（特許文献２中の段落［００２７］）。
【０００５】
ところで、本願発明者は、乗心地性能の向上を図る研究を行っているが、そのためには、振動減衰性能を向上させる必要がある。ここで、振動減衰性能とは、対象とする周波数帯（モード）が２０〜５０Ｈｚ帯域の振動（搭乗者が足元等でビリビリ感を感じる程度の振動）を低減させることを目的とした性能を示す。本願発明者は、フロントウインドウの上下振動に伴うフロントヘッダの上下振動が、その要因の１つであることを見出した。
【０００６】
特許文献１，２の構造でも、フロントウインドウの上下振動に伴うフロントヘッダの上下振動抑制に一定の効果が期待できると考えられるが、乗心地性能の向上を図るために、さらなる検討の必要があった。
【先行技術文献】
【特許文献】
【０００７】
【特許文献１】特開２０１４−５８２２４号公報
【特許文献２】特開２００２−２４８９４３号公報
【発明の概要】
【発明が解決しようとする課題】
【０００８】
そこでこの発明は、軽量な構造で、フロントウインドウの上下振動に伴うフロントヘッダの上下振動を抑制し、乗心地性能（振動減衰性能）の向上を図ることを目的とする。
【課題を解決するための手段】
【０００９】
この発明は、車体のルーフ部の左右両端部に車両前後方向に延びるように設けられた左右一対のルーフレールと、前記左右一対の両ルーフレール間に配設されたルーフパネルと、前記ルーフパネルの前部に車幅方向に配設されたフロントヘッダと、上部が前記ルーフレールに結合されると共に、下方へ延びるフロントピラーと、前記フロントヘッダと前記フロントピラーとの間に配設されたフロントウインドウと、を備えた車両の上部車体構造であって、前部が前記フロントヘッダに結合され、後方に延びる前後方向ルーフレインが配設され、前記フロントヘッダ内の車幅方向において前記前後方向ルーフレインに重ならない位置に節部材が配設されたことを特徴とする。
【００１０】
上記構成によれば、前記フロントヘッダ内の車幅方向において前記前後方向ルーフレインに重ならない位置に節部材を配設したため、前記前後方向ルーフレインと前記節部材と協働でフロントウインドウの上下振動に伴うフロントヘッダの上下振動を抑制することができ、軽量な構造で、フロントヘッダの上下振動を抑制し、乗心地性能（振動減衰性能）を向上させることが可能となる。
【００１１】
また、前記前後方向ルーフレインが車幅方向の両側に一対備えた構成の場合において、該前後方向ルーフレインの延びる方向は、例えば、車両平面視でハの字形状など車両後方程幅広に傾斜する方向、例えば、車両平面視で逆ハの字形状など車両後方程幅狭に傾斜する方向、或いは平行のいずれであってもよい。
【００１２】
前記節部材は、上述したように、前記フロントヘッダ内の車幅方向において前記前側傾斜ルーフレインと前記フロントヘッダとの結合部位と車幅方向に重ならない位置に配設することが上述した効果を奏する点で好ましいが、本発明は、これに限らず、前記フロントヘッダ内の車幅方向において前記前側傾斜ルーフレインと前記フロントヘッダとの結合部位と車幅方向に重なる位置に節部材を配設した構成を排除するものではない。
【００１３】
この発明の態様として、前記前後方向ルーフレインが車幅方向に並ぶよう一対設けられ、一方の前記前後方向ルーフレインの前部が、前記フロントヘッダの中央部と車幅方向の一方の外側端部との間に結合されるとともに、他方の前記前後方向ルーフレインの前部が、前記フロントヘッダの中央部と車幅方向の他方の外側端部との間に結合され、夫々、後方側程車幅方向外方に傾斜して後部が前記センタピラー近傍に位置するよう配設され、前記節部材が、前記フロントヘッダの中央部、及び前記前後方向ルーフレインと前記フロントヘッダとの結合部よりも車幅方向外側に配設されたものである。
【００１４】
上記構成によれば、前記前後方向ルーフレインと前記節部材と協働でフロントウインドウの上下振動に伴うフロントヘッダの上下振動を抑制することができるという上述した効果をさらに向上させることができる。
【発明の効果】
【００１５】
この発明によれば、軽量な構造で、乗心地性能（振動減衰性能）の向上を図ることができる。
【図面の簡単な説明】
【００１６】
【図１】第１実施形態に係る車両を一部省略して示した斜視図。
【図２】第１実施形態に係る車両のフレーム構造を示す斜視図。
【図３】第１実施形態に係る車両の上部車体構造の底面図。
【図４】第１実施形態に係る車両の上部車体構造の前側部分の斜視図。
【図５】第１実施形態に係るフロントヘッダの内部構造を示す断面図。
【図６】第１実施形態に係る中央節部材を前方左斜め上方から見た斜視図。
【図７】第１実施形態に係る外側節部材を前方左斜め上方から見た斜視図。
【図８】第２実施形態に係る車両の上部車体構造の底面図。
【発明を実施するための形態】
【００１７】
この発明の一実施例を以下図面に基づいて詳述する。  
図１は第１実施形態に係る車両を一部省略して前側左斜め上方から見た斜視図であり、図２は第１実施形態に係る車両のフレーム構造を前側左斜め上方から見た斜視図である。図３は第１実施形態に係る車両の上部車体構造を底面から視た図であり、図１中のＡ−Ａ線矢視断面図を示す。図４は図２中の領域Ｚにおける車両の上部車体構造の前側部分の拡大図である。図５（ａ）は図３中のＢ−Ｂ線矢視端面図を示し、図５（ｂ）は図３中のＣ−Ｃ切断線を前側左斜め上方から見た断面図を示す。図６は第１実施形態に係る中央節部材を前方左斜め上方から見た斜視図であり、図７は第１実施形態の外側節部材を前方左斜め上方から見た斜視図である。図８は第２実施形態に係る車両の上部車体構造を底面から視た図であり、図１中のＡ−Ａ線矢視に対応する断面図を示す。なお、図中、矢印（Ｆ）は車体前方、矢印（Ｒ）は車体後方、矢印（Ｕ）は車体上方を示す。
【００１８】
（第１実施形態）  
第１実施形態に係る車両Ｖの上部には、図１、及び図２に示すように、車幅方向の両側において前側下部から後側上部に向けて延びるフロントピラー１，１が設けられ、これらフロントピラー１，１の下部は上下方向に延びるヒンジピラー２，２に連結されている。
【００１９】
フロントピラー１はフロントピラーインナとフロントピラーアウタとを接合して、ヒンジピラー２はヒンジピラーインナとヒンジピラーアウタとを接合して、いずれも閉断面を備えた車体剛性部材である。
【００２０】
上述の左右のフロントピラー１，１の後端には、図１〜図３に示すように、車両前後方向に延びる左右一対のルーフレール３，３（ルーフサイドレール）が連続して形成され、左右のフロントピラー１，１の上端部相互間には、車幅方向に延びるフロントヘッダ１１（図２、図３参照）が架設されるとともに、左右のルーフレール３，３の後端部相互間には、車幅方向に延びるリヤヘッダ１２が架設されている。
【００２１】
フロントヘッダ１１の車幅方向両端部には、図２、図３、及び図４に示すように接合フランジ１１ａが接合されており、この接合フランジ１１ａを介してルーフレール３に結合（接合固定）されている。  
なお、この接合フランジ１１ａは、車幅方向の内端がフロントヘッダ１１と略同じ幅（車両前後方向長さ）で形成され、車幅方向外側程幅広に形成している（図３、図４参照）。
【００２２】
そして、上述の左右一対のルーフレール３，３、フロントヘッダ１１、及びリヤヘッダ１２に囲まれた領域は、車両上部において車両前後方向及び車幅方向に広がるように配設された鋼板製のルーフパネル１３によって覆われている（図１、図３参照）。
【００２３】
このルーフパネル１３は、上記領域に加えてフロントヘッダ１１、及びリヤヘッダ１２の少なくとも一部を覆うように上方から配置されているため、フロントヘッダ１１とリヤヘッダ１２とは、いずれも上方に配置したルーフパネル１３とで略閉断面構造を構成し、それぞれルーフパネル１３の前部、後部において車幅方向に延びる車体剛性部材としている。
【００２４】
フロントヘッダ１１の閉断面構造について詳述すると、フロントヘッダ１１は、図５（ａ），（ｂ）に示すように、車幅方向の直交断面視で上方に開口した上方開口を有する略ハット形状に形成しているため、フロントヘッダ１１の内部には該上方開口を覆うルーフパネル１３との間に閉断面空間１１Ａを構成している。  
なお、図５（ａ），（ｂ）中の符号９はシール部材である。
【００２５】
また、図１〜図３に示すように、車両前後方向に延びるルーフレール３の前後方向中央部（図３中の二点鎖線で示す円形部位３Ｃ）よりも前側には、上下方向に延びるセンタピラー３１が連続して形成され、ルーフレール３の後端部には、上下方向に延びるリヤピラー３２が連続して形成されている。
【００２６】
一方、車両下部には、図１及び図２に示すように、ヒンジピラー２の下部から車両後方に向かって延びるサイドシル３３が配設され、サイドシル３３の車両前後方向中央部には、上下方向に延びる上記センタピラー３１の下部が接合されている。
【００２７】
さらにまた、車両前部には、フロアパネル７の前端から立ち上がるとともに車幅方向の略全幅に亘って延びて、エンジンルームＥと車室Ｃとを仕切るダッシュパネル２１を備え、ダッシュパネル２１の上方には、車幅方向に延び、その略全幅に亘ってフロントウインドウ２２の下端を支持するカウルパネル２３が配設されている（同図参照）。  
なお、図１、及び図２中の符号２４は、ダッシュパネル２１の前部におけるエンジンルームＥの側方にて夫々車両前後方向に延びる左右一対のフロントサイドフレームであり、符号２５は、フロントサイドフレーム２４に対して車幅方向外方、且つ上方に離間した位置にヒンジピラー２の上端部から車両前方へ延びる左右一対のエプロンレインフォースメントであり、符号２６はエンジンルームＥの車幅方向両側に配設されたサスペンションタワー部である。
【００２８】
そして、車両Ｖには、図２に示すように、上述のフロントヘッダ１１と、左右のフロントピラー１，１とカウルパネル２３とで囲繞されたフロントウインドウ開口部２２Ａが形成され、ヒンジピラー２と、フロントピラー１と、ルーフレール３の前部と、センタピラー３１と、サイドシル３３とで囲繞されたフロント側のサイドドア開口３４Ａが形成され、センタピラー３１と、ルーフレール３の後部と、リヤピラー３２と、リアフェンダを含む後部ボディサイド部３７と、サイドシル３３とで囲繞されたリヤ側のサイドドア開口３５Ａとが形成されている。フロントウインドウ開口部２２Ａには、フロントウインドウ２２が配設され（図１、図３参照）、また、フロント側のドア開口３４Ａには図示省略するフロントサイドドアが配設され、リヤ側のドア開口３５Ａには図示省略するリヤサイドドアがそれぞれ開閉可能に配設されている。
【００２９】
一方、車両後部には、車室Ｃ後方に有する後部荷室Ｃｒから後方に向けて開口する後部荷室開口ＣｒＡが形成され（図２、図３参照）、図１、及び図３に示すように、リフトゲート４１（バックドア）によってルーフパネル１３の後端部（リヤヘッダ１２部分）を開閉支点として後部荷室開口ＣｒＡを覆うように形成して、ハッチバック型の車両を構成している。このリフトゲート４１には、リフトゲート開口部４１Ａが設けられ、該リフトゲート開口部４１Ａを閉塞するリヤウインドウ４２を備えている（図１、図３参照）。
【００３０】
さらに、図２、及び図３に示すように、ルーフパネル１３の下方側（車室Ｃ側）には、上述したフロントヘッダ１１とリヤヘッダ１２との間に、複数のルーフレインフォースメント１５〜１８が設けられ、上述したルーフパネル１３と、フロントヘッダ１１、リヤヘッダ１２、及び複数のルーフレインフォースメント１５〜１８によりルーフ部１０が構成されている（図１、図３参照）。
【００３１】
ところで上述したフロントヘッダ１１、リヤヘッダ１２、各ルーフレインフォースメント１５〜１８の上面には、接着剤８が塗布されており（例えば、図５（ａ）、（ｂ）参照）、この接着剤８により、ルーフパネル１３の下面に接着されている。
【００３２】
また、図２、及び図３に示すように、上述した複数のルーフレインフォースメント１５〜１８は、前側車幅方向ルーフレインフォースメント１５、後側第１車幅方向ルーフレインフォースメント１６、後側第２車幅方向ルーフレインフォースメント１７、及び前側傾斜ルーフレインフォースメント１８で構成している。
【００３３】
前側車幅方向ルーフレインフォースメント１５は、左右一対のルーフレール３，３間において車幅方向に直線状に延び、その車幅方向両外端部の夫々には、図３に示すように、接合フランジ１５ａが接合されており、この接合フランジ１５ａを介して車両前後方向においてセンタピラー３１に少なくとも一部が重なる位置でルーフレール３に結合されている。
【００３４】
また、後側第１車幅方向ルーフレインフォースメント１６、及び後側第２車幅方向ルーフレインフォースメント１７は、図２、及び図３に示すように、それぞれの両端部に接合片１６ａ，１７ａが一体または一体的に形成されている。そして、該接合片１６ａ，１７ａが、ルーフレール３，３の前後方向各部にスポット溶接等によって接合されることで、ルーフレール３，３に結合されている。
【００３５】
これにより、後側第１車幅方向ルーフレインフォースメント１６は、ルーフレール３，３の車両前後方向の略中央部３Ｃ（図３参照）よりも若干後方において、ルーフレール３，３を相互に連結するように配設され、後側第２車幅方向ルーフレインフォースメント１７は、後側第１車幅方向ルーフレインフォースメント１６とリヤヘッダ１２との車両前後方向の略中央位置に配設されている。
【００３６】
また、上述した前側傾斜ルーフレインフォースメント１８は、図２、及び図３に示すように、車幅方向に並ぶように左右一対設けられ、前部がフロントヘッダ１１に結合されるとともに、後方側程車幅方向外方に傾斜しながら延びており、本実施例においては、左右一対の前側傾斜ルーフレインフォースメント１８，１８は、後方程徐々に拡幅して平面視略ハの字形状に延びている（図３参照）。そして、前側傾斜ルーフレインフォースメント１８の後部は、センタピラー３１とルーフレール３との結合部Ｔ１近傍に位置に結合されている（図２、図３参照）。
【００３７】
詳しくは、左右一対の前側傾斜ルーフレインフォースメント１８，１８の前後両端部には、図３に示すように、接合フランジ１８ａｆ，１８ａｒ（前端接合フランジ１８ａｆ、及び後端接合フランジ１８ａｒ）が一体または一体的に形成されている。そして、図３、及び図４に示すように、車幅方向左側の前側傾斜ルーフレインフォースメント１８の前端接合フランジ１８ａｆは、フロントヘッダ１１の中央部１１Ｃと車幅方向左側の外側端部（左側の接合フランジ１１ａ）との間に結合され（図５（ａ）参照）、車幅方向右側の前側傾斜ルーフレインフォースメント１８の前端接合フランジ１８ａｆは、フロントヘッダ１１の中央部１１Ｃと車幅方向右側の外側端部（右側の接合フランジ１１ａ）との間に結合されている。
【００３８】
さらに、車幅方向の左右各側において、前側傾斜ルーフレインフォースメント１８の後端接合フランジ１８ａｒは、図３に示すように、前側車幅方向ルーフレインフォースメント１５の車幅方向の外側端部における接合フランジ１５ａと略同位置、或いは該接合フランジ１５ａよりも若干、車幅方向の内側に結合されている。
【００３９】
ところで、上述したフロントヘッダ１１の閉断面空間１１Ａ（図５（ａ）、（ｂ）参照）には、図２、及び図４に示すように、該フロントヘッダ１１の車幅方向において前側傾斜ルーフレインフォースメント１８とフロントヘッダ１１との結合部位と車幅方向に重ならない位置に節部材５１，５２が配設されている。
【００４０】
詳しくは、図４に示すように、節部材５１，５２は、フロントヘッダ１１の閉断面空間１１Ａにおいて１つの中央節部材５１と２つの外側節部材５２とを備え、中央節部材５１はフロントヘッダ１１の車幅方向の中央部１１Ｃに配設されるとともに（図３、図４、図５（ｂ）参照）、外側節部材５２は、フロントヘッダ１１の車幅方向両外側、すなわちフロントヘッダ１１の付け根部分に１つずつ配設されている（図３、図４参照）。
【００４１】
具体的には、中央節部材５１は図６に示すように形成するとともに、外側節部材５２は図７に示すように形成し、いずれも後高前低状に傾斜する傾斜上面５１ａ，５２ａと、車幅方向の両側から下方に延びる左右一対の側壁部５１ｂ，５２ｂと、側壁部５１ｂ，５２ｂの下端及び後端から車幅方向外側に延びる側方フランジ部５１ｃ，５２ｃと、傾斜上面５１ａ，５２ａの後端から後方上方に突出する後方フランジ部５１ｄ，５２ｄと、傾斜上面５１ａ，５２ａの前端から前方下方に突出する前方フランジ部５１ｅ，５２ｅとで一体に形成している。
【００４２】
さらに、中央節部材５１は、図６に示すように、傾斜上面５１ａを車両前後方向に沿って略同じ幅（車幅方向長さ）で形成しているのに対して、外側節部材５２は、図７に示すように、傾斜上面５２ａを車両後方程徐々に幅広になるように形成し、幅広の傾斜上面５２ａの後端から突出する後方フランジ部５２ｄを中央節部材５１の後方フランジ部５１ｄの幅よりも幅広に形成している。
【００４３】
このように、中央節部材５１と外側節部材５２は、互いに略同一形状に形成しているが、フロントヘッダ１１の車幅方向における夫々の配置箇所のスペース、形状に応じた形状で形成している。
【００４４】
以上、詳述した第１実施形態の車両Ｖの上部車体構造は、車体のルーフ部１０の左右両端部に車両前後方向に延びるように設けられた左右一対のルーフレール３，３と、左右一対の両ルーフレール３，３間に配設されたルーフパネル１３と、ルーフパネル１３の前部に車幅方向に配設されたフロントヘッダ１１と、上部がルーフレール３に結合されると共に、下方へ延びるフロントピラー１と、フロントヘッダ１１とフロントピラー１との間に配設されたフロントウインドウ２２と、を備えた車両の上部車体構造であって、前部が前端接合フランジ１８ａｆを介してフロントヘッダ１１に結合され、後方に延びる前後方向ルーフレインフォースメントとしての前側傾斜ルーフレインフォースメント１８が配設され、フロントヘッダ１１内の車幅方向において前側傾斜ルーフレインフォースメント１８に重ならない位置に節部材としての中央節部材５１と２つの外側節部材５２が配設されたものである（図２〜図４参照）。
【００４５】
上記構成によれば、フロントウインドウ２２の上下振動に伴うフロントヘッダ１１の上下振動を抑制することができ、軽量な構造で、乗心地性能（振動減衰性能）を向上させることが可能となる。
【００４６】
具体的には、フロントウインドウ２２は、一般にフロントウインドウ開口部２２Ａを覆うことが可能な大きさを有した重量物であるため、車両走行中にフロントウインドウ２２が振動した場合、それに伴って該フロントウインドウ２２の上端に配設したフロントヘッダ１１も振動し易くなる。そうすると、その影響でドライバは、例えば、足元から、或いはシート取り付け部を介して伝わる低周波の振動（ビリビリ感）を感じ、乗り心地性能に悪影響を及ぼすおそれがある。
【００４７】
これに対して、第１実施形態の車両Ｖの上部車体構造は、上述したように、フロントヘッダ１１内の車幅方向において前側傾斜ルーフレインフォースメント１８に重ならない位置に節部材５１，５２を配設することで、前側傾斜ルーフレインフォースメント１８と節部材５１，５２との協働でフロントウインドウ２２の上下振動に伴うフロントヘッダ１１の上下振動を抑制することができ、軽量な構造で、フロントヘッダ１１の上下振動を抑制し、乗心地性能を向上させることが可能となる。
【００４８】
また、フロントヘッダ１１内に中央節部材５１、及び外側節部材５２を配設することで、車幅方向の中間部における、フロントヘッダ１１と前側車幅方向ルーフレインフォースメント１５との間の空間に、ルーフレインフォースメントを配設せずとも振動減衰性能を向上させることができる。
【００４９】
よって、車幅方向の中間部における、フロントヘッダ１１と前側車幅方向ルーフレインフォースメント１５との間の空間に通常、配設されることが多い例えば、ルームランプの配線ユニット等の部材（図示省略）にルーフレインフォースメントが干渉することがなく、車両Ｖの乗心地性能を向上させつつ、ルームランプの配線ユニット等の車載部品を確実に配設することができる。
【００５０】
この発明の態様によれば、前側傾斜ルーフレインフォースメント１８が車幅方向に並ぶよう一対設けられ、一方の前側傾斜ルーフレインフォースメント１８の前部が、フロントヘッダ１１の中央部１１Ｃと車幅方向の一方の外側端部との間に結合されるとともに、他方の前側傾斜ルーフレインフォースメント１８の前部が、フロントヘッダ１１の中央部１１Ｃと車幅方向の他方の外側端部との間に結合され、夫々、後方側程車幅方向外方に傾斜して後部に有する後端接合フランジ１８ａｒがセンタピラー３１近傍に位置するよう配設され、節部材５１，５２が、フロントヘッダ１１の中央部１１Ｃ、及び前側傾斜ルーフレインフォースメント１８とフロントヘッダ１１との結合部Ｔｂよりも車幅方向外側に配設されたものである（図２〜図４参照）。
【００５１】
このように、節部材５１，５２を、フロントヘッダ１１の中央部１１Ｃ、及び前側傾斜ルーフレインフォースメント１８とフロントヘッダ１１との結合部Ｔｂよりも車幅方向外側に配設することで、フロントヘッダ１１内の車幅方向において前側傾斜ルーフレインフォースメント１８に重なる位置に配設した場合と比較して前側傾斜ルーフレインフォースメント１８と節部材５１，５２とより一層、協働してフロントウインドウ２２の上下振動に伴うフロントヘッダ１１の上下振動を抑制することができる。  
従って、軽量な構造で、乗心地性能（振動減衰性能）を向上させることができるという上述した効果をさらに向上させることができる。
【００５２】
続いて第２実施形態について説明する。但し、上述した第１実施形態と同様の構成については同一の符号を付してその説明を省略する。  
（第２実施形態）  
第２実施形態の車両Ｖａは、第１実施形態の車両Ｖに備えた後側第１車幅方向ルーフレインフォースメント１６、及び後側第２車幅方向ルーフレインフォースメント１７の代わりに、図８に示すように、後部がリヤヘッダ１２に結合されると共に、車両前方側程車幅方向外方に傾斜して延びる後側傾斜ルーフレインフォースメント６１が配設されたものである。
【００５３】
具体的には、後側傾斜ルーフレインフォースメント６１は、車幅方向の左右各側の後部同士が互いに結合するとともに、リヤヘッド１２の車幅方向の中央部に後端フランジ部６１ａｒを介して結合し、リヤヘッド１２の車幅方向の中央部から前方側程車幅方向に幅広となるように車両平面視略Ｖ字形状に配設している。
【００５４】
さらに、図８に示すように、後側傾斜ルーフレインフォースメント６１の前部は、車両前後方向におけるセンタピラー３１とリヤヘッダ１２との間の位置においてルーフレール３に結合されている（同図参照）。
【００５５】
具体的には、後側傾斜ルーフレインフォースメント６１の前部は、車幅方向の両側において前側車幅方向ルーフレインフォースメント１５とルーフレール３とで形成される角部ＣＮ近傍で、該ルーフレール３に前端フランジ部６１ａｆを介して結合されている。
【００５６】
上述した第２実施形態の車両Ｖａは、フロントウインドウ２２の上下振動に伴うフロントヘッダ１１の上下振動を抑制することができ、軽量な構造で、乗心地性能（振動減衰性能）を向上させることが可能となるという第１実施形態の車両Ｖと同様の効果を奏することができる。
【００５７】
さらに、第２実施形態の車両Ｖａは、車両前方側程車幅方向外方に傾斜して延びる後側傾斜ルーフレインフォースメント６１の後部をリヤヘッダ１２に結合したため（同図参照）、後部荷室開口ＣｒＡ、及びリフトゲート開口部４１Ａの変形を抑制することにより車体ねじり剛性が向上し、操安性の向上を図ることができる。
【００５８】
その他にも、上述したように、後側傾斜ルーフレインフォースメント６１の前部を、センタピラー３１とリヤヘッダ１２との間の位置においてルーフレール３に結合したため（同図参照）、リヤ側のサイドドア開口３５Ａ（図２参照）の変形を抑制することができ、さらに車体ねじり剛性が向上し、操安性の向上を図ることができる。
【００５９】
加えて、上述したように、後側傾斜ルーフレインフォースメント６１の前部を、前側車幅方向ルーフレインフォースメント１５とルーフレール３とで形成される角部ＣＮ近傍で、ルーフレール３に結合したため（同図参照）、車幅方向両側のルーフレール３，３と前側車幅方向ルーフレインフォースメント１５とリヤヘッダ１２とで囲まれたルーフパネル１３部分の変形を抑制する（すなわち、ルーフパネル１３の面剛性を確保する）ことができ、さらに車体ねじり剛性が向上し、操安性の向上を図ることができる。
【００６０】
この発明の構成と、上述の実施例との対応において、この発明の前後方向ルーフレインは、上述の実施形態の前側傾斜ルーフレインフォースメント１８に対応し、以下、同様に、  
節部材は、中央節部材５１、及び外側節部材５２に対応するも、この発明は、上述の実施例の構成のみに限定されるものではない。
【００６１】
具体的には、上述した実施形態では、中央節部材５１をフロントヘッダ１１の中央部１１Ｃに配設するとともに、外側節部材５２を前側傾斜ルーフレインフォースメント１８とフロントヘッダ１１との結合部Ｔｂよりも車幅方向外側に配設したが、この発明は、上記実施形態の構成に限定せず、例えば、節部材は、中央節部材５１と外側節部材５２とのうちいずれか一方のみを備えるなど、フロントヘッダ１１の閉断面空間Ａに少なくとも１つ備えていればよい。また、節部材は、フロントヘッダ１１の閉断面空間Ａの車幅方向における前側傾斜ルーフレインフォースメント１８に重ならない位置に配設することで、前側傾斜ルーフレインフォースメント１８と節部材（中央節部材５１、及び外側節部材５２）と協働してフロントヘッダ１１の上下振動を軽量な構造で効果的に抑制できる点で好ましいが、この構成に加えて、前側傾斜ルーフレインフォースメント１８に重なる位置に配設するなど任意の箇所に配設してもよい。
【産業上の利用可能性】
【００６２】
以上説明したように、本発明は、例えば、車体のルーフ部の左右両端部に車両前後方向に延びるように設けられた左右一対のルーフレールと、左右一対の両ルーフレール間に配設されたルーフパネルと、ルーフパネルの前部に車幅方向に配設されたフロントヘッダと、上部がルーフレールに結合されると共に、下方へ延びるフロントピラーと、フロントヘッダとフロントピラーとの間に配設されたフロントウインドウと、を備えた車両の上部車体構造について有用である。
【符号の説明】
【００６３】
Ｖ，Ｖａ，Ｖｂ…車両
１…フロントピラー
３…ルーフレール
１０…ルーフ部
１１…フロントヘッダ
１１Ｃ…フロントヘッダの中央部
１３…ルーフパネル
１８…前側傾斜ルーフレインフォースメント（前後方向ルーフレイン）
２２…フロントウインドウ
３１…センタピラー
５１…中央節部材（節部材）
５２…外側節部材（節部材）
Ｔｂ…前側傾斜ルーフレインフォースメントとフロントヘッダとの結合部
【図１】
2016150701.tif 000003
【図２】
2016150701.tif 000004
【図３】
2016150701.tif 000005
【図４】
2016150701.tif 000006
【図５】
2016150701.tif 000007
【図６】
2016150701.tif 000008
【図７】
2016150701.tif 000009
【図８】
2016150701.tif 000010